(57)【要約】【課題】ゴルフクラブのグリップに対する手の握りの強さおよびゴルフクラブのグリップに伝わってくる衝撃をより正確に感知することが可能なゴルフ用手袋を提供する。【解決手段】ゴルフ用手袋において、親指、人差し指、中指、薬指および小指の五指に対応する各指袋４〜８におけるその先端部分に、指先を露出させる開口部１を設け、前記五指の各指袋における各関節部の掌側に相当する部分に、指の長軸方向と直交する方向に細長い開口部２またはスリットを設けた。【選択図】図１
2005177254.tif 000002
【特許請求の範囲】
【請求項１】
親指、人差し指、中指、薬指および小指の五指に対応する各指袋におけるその先端部分に、指先を露出させる開口部を設け、前記五指の各指袋における各関節部の掌側に相当する部分に、指の長軸方向と直交する方向に細長い開口部またはスリットを設けたゴルフ用手袋。
【請求項２】
前記五指の各指袋における各関節部の甲側に相当する部分に、指の長軸方向と直交する方向に細長い開口部またはスリットを設けた請求項１に記載のゴルフ用手袋。
【発明の詳細な説明】
【技術分野】
【０００１】
本発明は、ゴルフクラブのグリップ部の滑りを防止するために着用するゴルフ用手袋に関する。
【背景技術】
【０００２】
ゴルフクラブのグリップはゴルフクラブとそれを使用する人との唯一の接点であり、その握り方や握る力加減によってスイング中のゴルフクラブの軌道が変わる。したがって、スイング中にゴルフクラブのグリップ部で滑りが生じるとゴルフクラブの軌道が安定せず、また、ゴルフクラブのグリップと手との位置関係が数ミリ異なるとゴルフクラブの軌道が異なってくるといわれている。
【０００３】
よって、ゴルフクラブのグリップと手との位置関係が適切であること、ゴルフクラブのグリップに対する握りの強さが適切であること、ゴルフクラブのグリップ部で滑りが生じないこと、より高い精度で同じグリップを再現できること、などがゴルフをプレーする上で重要であり、そのため、どのようなゴルフ用手袋を使用するかが重要となってくる。
【０００４】
一方、ゴルフ用手袋は広く一般に市販されている。これらのゴルフ用手袋はゴルフクラブのグリップ部の滑りを防止することを主な目的とするものであり、その目的を達成するために種々のゴルフ用手袋が提案されている。
【０００５】
ところが、従来のゴルフ用手袋は指先を含めた手全体を覆う構造をしていることから、皮革などの手袋材料を介して間接的にゴルフクラブのグリップなどを握ることになる。このため、ゴルフクラブのグリップに対する手の握りの強さやゴルフクラブのグリップに伝わってくる衝撃を直に感知することができず、また、ポケット内のティーなどの小物部材を取り出すのに不便であった。
【０００６】
また、従来のゴルフ用手袋は指先を覆っているため、指先そのものではなく、手袋の縫い目やその形状を基準としてゴルフクラブのグリップと手との位置関係を調節することになる。したがって、指袋がねじれたり、手袋を別のものに代えたりした場合、ゴルフクラブのグリップと手との位置関係を正確に把握することが困難であり、その位置関係を毎回正確に再現することは困難であった。
【０００７】
また、従来のゴルフ用手袋には、通常、通気孔が多数設けられているが、その穴径が小さいため十分な通気性を確保することができない。そのため手に汗をかき、スイング中に手と手袋との間で滑りが生じるという問題もあった。
【０００８】
ここで、指袋に開口部を備えるゴルフ用手袋として、手袋装着時においても手袋非装着時の指の屈伸性を保つことを目的に、中指、薬指、小指に対応する各指袋の第２関節部に相当する部分の甲側に、指の長軸方向に長い楕円状の開口部を設けたものが提案されている。しかし、この開口部は５本の指のうち３本の指に対応する指袋にしか設けられておらず、しかも、開口部の数は各指袋ごとに１箇所のみであることから、この開口部のみでは十分な通気性を確保することは困難である。
【０００９】
【特許文献１】特許第２７８９１８４号公報
【発明の開示】
【発明が解決しようとする課題】
【００１０】
この発明が解決しようとする課題は、ゴルフ用手袋について、ゴルフクラブのグリップに対する手の握りの強さおよびゴルフクラブのグリップに伝わってくる衝撃をより正確に感知することを可能とするとともに、ゴルフクラブのグリップと手との位置関係をより正確に把握することを可能とし、あわせて、十分な通気性を確保することである。
【課題を解決するための手段】
【００１１】
上記の課題を解決するために、ゴルフ用手袋の親指、人差し指、中指、薬指および小指の五指に対応する各指袋におけるその先端部分に、指先を露出させる開口部を設け、前記五指の各指袋における各関節部の掌側に相当する部分に、指の長軸方向と直交する方向に細長い開口部またはスリットを設けた。
【００１２】
かかるゴルフ用手袋は、前記五指の各指袋における各関節部の甲側に相当する部分に、指の長軸方向と直交する方向に細長い開口部またはスリットを設けると、より好ましいものになる。
【００１３】
なお、本発明における人差し指、中指、薬指および小指について、第３関節部の掌側とは、掌側における指の付け根の部分（中手指節関節近傍）をいい、第３関節部の甲側とは、こぶしを握ったときの手の甲の隆起部分（中手指節関節）をいう。
【発明の効果】
【００１４】
前記五指に対応する各指袋における先端部分に指先を露出させる開口部を設けたことから、その開口部から露出した指先がゴルフクラブのグリップに直に接触する。したがって、ゴルフクラブのグリップに対する手の握りの強さおよびゴルフクラブのグリップに伝わってくる衝撃をより正確に感知することが可能となる。また、スイング中にゴルフクラブのグリップと手との位置関係がずれた場合、スイングのいずれの段階でずれたのかを感知することも可能となる。また、ポケット内の小物部材を取り出すときに、直接指先でつまむことができ、取り出しやすいという利点もある。
【００１５】
また、開口部から露出した指先の位置を視覚によって正確に把握することができ、この指先の位置を基準とすることにより、手袋の縫い目の位置のいかんにかかわらず、ゴルフクラブのグリップと手との位置関係をより正確に把握することが可能となる。これにより、ゴルフクラブのグリップと手との位置関係を毎回より正確に再現することが可能となる。
【００１６】
また、前記五指の各指袋におけるその先端部分および各関節部の掌側に相当する部分に設けた開口部またはスリットにより、十分な通気性を確保することが可能となる。
【００１７】
このとき、前記五指の各指袋における各関節部の掌側に相当する部分に設けた開口部またはスリットは、指の長軸方向と直交する方向に細長い形状をしていることから、これらの開口部またはスリットによってはゴルフクラブのグリップと手袋との接触面積は減少せず、ゴルフ用手袋の滑り防止効果は低下しない。
【００１８】
さらに、前記五指の各指袋における各関節部の甲側に相当する部分に開口部またはスリットを設けることにより、より一層通気性を高めることができる。
【００１９】
また、手袋を装着してゴルフクラブのグリップを握ったときに、前記五指の各指袋における各関節部の甲側に相当する部分に設けた開口部またはスリットが広がり、指の動きが拘束されない。したがって、グリップが握り易くなり、より少ない握力で所定の強さの握りを実現することが可能となり、手が疲れにくい。
【発明を実施するための最良の形態】
【００２０】
図１は本発明にかかるゴルフ用手袋の掌側図、図２（ａ）は甲側図である。親指、人差し指、中指、薬指および小指に対応する各指袋４〜８のそれぞれの先端部分に、第１関節部と指先との中間位置から指先までの部分が露出する開口部１が設けられている。この開口部１は指袋の先端を切断した形状をしている。
【００２１】
また、親指の第１関節部および第２関節部の掌側に相当する部分ならびに人差し指、中指、薬指および小指の第１関節部、第２関節部および第３関節部の掌側に相当する部分に、指の長軸方向と直交する方向に細長い楕円状の開口部２が設けられている。開口部２の大きさは、たとえば、長径１５ミリメートル程度、短径６ミリメートル程度が好ましい。
【００２２】
さらに、親指の第１関節部および第２関節部の甲側に相当する部分ならびに人差し指、中指、薬指および小指の第１関節部、第２関節部および第３関節部の甲側に相当する部分に、指の長軸方向と直交する方向に細長いスリット３が設けられている。このスリット３の長さは、たとえば、１５ミリメートル程度が好ましい。
【００２３】
このゴルフ用手袋を装着すると各指の指先が各指袋の開口部１から露出した状態となる。この指先の位置を基準としてゴルフクラブのグリップを握ると、手袋の縫い目の位置のいかんにかかわらず、ゴルフクラブのグリップと手との位置関係をより正確に把握することができる。これにより、ゴルフクラブのグリップと手との位置関係を毎回より正確に再現することができる。また、ゴルフクラブのグリップと手との位置関係がアドレス時とフィニッシュ時とでどのように変化したかも正確に把握することができる。
【００２４】
このとき、指先の開口部１は指先のみを露出させるものであるから、ゴルフクラブのグリップと手袋との接触面積の減少は最小限に抑えられ、ゴルフ用手袋の滑り防止効果はほとんど低下しない。
【００２５】
また、ポケット内のティーなどを取り出すときに、直接指先でつまむことができ、取り出しやすい。
【００２６】
また、開口部１、開口部２およびスリット３により十分な通気性が確保され、手に汗をかきにくく、皮脂も手袋外部へ排出される。よって、手と手袋との間で滑りが生じず、臭いも残り難い。
【００２７】
また、各指の各関節部の掌側が開口部２から露出するが、ゴルフクラブのグリップを握ると、この開口部２は閉鎖する。このとき、指の各関節屈曲側にたわみが生じにくいことから、グリップを充分に握り締めることが可能となっている。
【００２８】
このとき、開口部２はゴルフクラブのグリップと手との接触部分にかかってこないことから、開口部２によってはゴルフクラブのグリップと手袋との接触面積は減少せず、ゴルフ用手袋の滑り防止効果は低下しない。また、開口部２によっては皮膚とグリップとが直接には接触せず、グリップとの摩擦により皮膚が傷つくということもない。
【００２９】
また、ゴルフクラブのグリップを握ったときにスリット３が広がり、指の動きが拘束されず、より少ない握力で所定の強さの握りを実現することができる。また、手袋に過剰の伸張力が加わらず、手袋が長持ちする。
【００３０】
なお、スリット３に代えて、指の長軸方向と直交する方向に細長い楕円状の開口部としても同様である。この場合、開口部の大きさは、たとえば、長径１５ミリメートル程度、短径６ミリメートル程度が好ましい。
【００３１】
以上、左手に装着するゴルフ用手袋について説明したが、右手に装着するゴルフ用手袋としてもよいことは勿論である。
【図面の簡単な説明】
【００３２】
【図１】実施例のゴルフ用手袋の掌側図。
【図２】（ａ）は実施例のゴルフ用手袋の甲側図、（ｂ）は（ａ）のＡ−Ａ線における拡大断面図。
【符号の説明】
【００３３】
１  開口部
２  開口部
３  スリット
４  親指袋
５  人差し指袋
６  中指袋
７  薬指袋
８  小指袋
【図１】
2005177254.tif 000003
【図２】
2005177254.tif 000004